(57)【特許請求の範囲】
【請求項１】
懐中電灯用乾電池と同寸の絶縁材でなる筒体の下側端面に第１導電円板を固着し上側端面に中心穴を有する導電性円筒を固着し中央部にリング状突起端面を中心に形成した棚を設けた枠体と、上端を鍔付円錐状突出部とし下端部に重りを螺合して前記棚のリング状突起端面の中心に縦揺れ横揺れ可能に挿入され鍔で吊下げられた振動検知用振子軸と、前記棚と前記重りとの間に介装され前記振子軸を枠体の中心に保つ第１ばねと、前記導電性円筒の中心穴に引っかけ溝を有する上端を突出して上下移動可能に挿通され下端を鍔付円錐に形成した導電材でなる接点部材と、前記導電性円筒と前記接点部材の鍔付円錐との間に介装され前記振子軸が正常の時その円錐状突出部で前記接点部材の円錐の頂面が受けられるように作用する導電性第２ばねと、前記筒体の棚より上位置で前記第１導電円板と接続して設けられ前記振子軸の地震検知時に前記接点部材の鍔と接触するリング状接点をもつ第２導電円板とを含んでなる振動検知器と、懐中電灯用乾電池と同寸で両端部に正負端子を持つ乾電池ケースに小型乾電池を複数本直列又はおよび並列に接続して収容し電圧又はおよび容量を増大した組み合わせ乾電池とを懐中電灯内に直列に接続して構成したことを特徴とする非常用懐中電灯。
【請求項２】
前記懐中電灯の回路にタイマを接続し、点灯後該タイマの設定時間経過後自動的に消灯するようになした請求項１に記載の非常用懐中電灯。
【請求項３】
前記懐中電灯の回路にブザーを接続し、点灯時に同時に音響を発するようになした請求項１または２のいずれか１項に記載の非常用懐中電灯。
【発明の詳細な説明】
【０００１】
【発明の属する技術分野】
本発明は不意に発生する振動例えば地震の振れを検知してランプを点灯させることができる非常用懐中電灯に関するものである。
【０００２】
【従来の技術】
非常用の懐中電灯は、予め定めた所定位置に備えておいて、主として夜間であるが作業中や就寝中に非常事態が発生した時に行動の助けとして利用するものである。従って予め非常用懐中電灯の保管されている場所は知っておく必要がある。しかし一般家庭でも各部屋ごとに非常用懐中電灯を備えることは殆どなく、又旅の宿泊先では限られた室内でもその備えている場所を熟知することは困難なことが多い。
そして現在旅館等にて常備されている非常用懐中電灯は、室内や廊下の柱等に掛け止めされていて、非常時に手で取り外して点灯させるように構成されているのが一般である。
【０００３】
【発明が解決しようとする課題】
従来技術で述べた旅館等に常備の懐中電灯は緊急事態発生時に設置場所を明確に視差する構造とはなっていない。そのため室内照明用の電源が地震の非常事態発生で回路が遮断されたとき、特に夜間にあっては作業中に作業位置からの脱出が困難であったり、また就寝中にあっては従業員や宿泊客が即座に懐中電灯を取り扱うことが困難であって、屋外への移動は多くの障害のあることが考えられる。特に地震に火災が伴った時は困難を極めることが予想され、このような状況下においては懐中電灯の保管場所を直ちに見いだすことが特に不可欠となる。本発明はこのような問題に鑑みなされたもので、その目的とするところは振動を検出したとき懸架して設置した懐中電灯が、即刻足元又は天井を照らして懐中電灯の設置した場所がわかるような構造とする。これによって宿泊客等が直ちに取り外し、これを利用して安全な行動を取ることができる非常用懐中電灯を提供しようとするものである。
【０００４】
【課題を解決するための手段】
上記目的を達成するために請求項１の本発明の非常用懐中電灯は、懐中電灯用乾電池と同寸の絶縁材でなる筒体の下側端面に第１導電円板を固着し上側端面に中心穴を有する導電性円筒を固着し中央部にリング状突起端面を中心に形成した棚を設けた枠体と、上端を鍔付円錐状突出部とし下端部に重りを螺合して前記棚のリング状突起端面の中心に縦揺れ横揺れ可能に挿入され鍔で吊下げられた振動検知用振子軸と、前記棚と前記重りとの間に介装され前記振子軸を枠体の中心に保つ第１ばねと、前記導電性円筒の中心穴に引っかけ溝を有する上端を突出して上下移動可能に挿通され下端を鍔付円錐に形成した導電材でなる接点部材と、前記導電性円筒と前記接点部材の鍔付円錐との間に介装され前記振子軸が正常の時その円錐状突出部で前記接点部材の円錐の頂面が受けられるように作用する導電性第２ばねと、前記筒体の棚より上位置で前記第１導電円板と接続して設けられ前記振子軸の地震検知時に前記接点部材の鍔と接触するリング状接点をもつ第２導電円板とを含んでなる振動検知器と、懐中電灯用乾電池と同寸で両端部に正負端子を持つ乾電池ケースに小型乾電池を複数本直列又はおよび並列に接続して収容し電圧又はおよび容量を増大した組み合わせ乾電池とを懐中電灯内に直列に接続して構成したものである。
【０００６】
また、請求項１の本発明の非常用懐中電灯は、振動検知器を複数個収納されている乾電池のうちの一個と入れ替え、鉛直状態に設置して点滅用スイッチを常時閉状態として待機させ、前記振子部材の振動で前記接点部材による接点スイッチ回路を閉成して前記電極間が連続通電されて点灯し前記点滅用スイッチを開としたとき消灯し接点部材を引っかけ溝により引き上げることにより復帰するようにしたものである。
【０００７】
上述の非常用懐中電灯は、乾電池形振動検知器を非常用懐中電灯に使用して、地震のとき非常用懐中電灯の保管場所を懐中電灯自らが点灯することにより、備えつけの場所を知らせることができるようにしたものである。そして懐中電灯全体に横揺れや縦揺れが加えられると内蔵の接点部材の接点が接触しランプ回路に継続的に通電して懐中電灯を点灯させ保管場所を容易に知ることが出来るようにしたものである。
【０００８】
また請求項１の本発明の非常用懐中電灯に利用しうる乾電池は電源として乾電池と同形のケースに複数個の小型乾電池を直列又は及び並列に結線として使用するようになしたものである。上述の非常用懐中電灯では複数個の乾電池の組み合わせ結線により電圧を上昇または容量を増大させることが出来て、明るさを大きくしたり、寿命を長くすることが出来る。
【０００９】
また請求項２の本発明の非常用懐中電灯は前記回路にタイマを接続し、点灯後該タイマの設定時間経過後自動的に消灯するようになしたものである。上述の非常用懐中電灯は地震等の比較的低い大揺れにより接点スイッチが作動して点灯しても特に異常状態に到らなかった場合、放置されると、電池切れにて消灯する以前に自動的に消灯され、電池の無駄使いを防止することが出来る。
【００１０】
また請求項３の本発明の非常用懐中電灯は前記回路にブザーを接続し、点灯時に同時に音響を発生するようになしたものである。上述の非常用懐中電灯は点灯と同時にブザーが鳴るため懐中電灯の点灯を確認することが出来なくても、音によって懐中電灯の所在を認識することができる。
【００１４】
【発明の実施の形態】
以下本発明の実施の形態を図面にもとづいて説明する。
【００１５】
図１は本願発明の実施例第１の乾電池形振動検知器を非常用懐中電灯に使用した場合の断面説明図である。図２は図１の回路図である。図３は図２の動作説明図である。
【００１６】
〔実施例第１〕
図１は懐中電灯のケース外形部分を除いた本願発明に係る乾電池形振動検知器を非常用懐中電灯に使用した実施例の断面説明図である。
乾電池形振動検知器の構成の詳細を断面で示しており説明の便宜上乾電池１５・ランプ１６・手動スイッチ１８・ケースが形成するランプ回路の一部分１７も図示されている。
【００１７】
乾電池形振動検知器は、その枠体が懐中電灯のケースに乾電池１５と直列に組み込み可能に、絶縁材で乾電池１５と同形・同寸の円筒形に形成されている。絶縁材の樹脂でなる枠体１には振動検知用の振子部材２・３，接点部材９及び三極無接点サイリスタ素子１０その他の配線材が内臓されている。そして前記振子部材は枠体１の中央部分に組み込まれている。
【００１８】
振子部材の振子軸２は枠体１の中心部の棚１ｊのガイド穴１ａに横揺れ可能な隙間を与えて挿入されており、該振子軸２の下半部は螺刻され振子の重り３が螺合されている。振子軸２の上半部には径の大きい鍔２ａが形成され、鍔２ａの下面は枠体１の中心穴１ａの周縁部のリング状の突起端面１ｂで支持され、突起端面１ｂが鍔２ａと当接する部分は断面が逆Ｖ字形に形成されており鍔２ａの下面を支持している。このため振子部材の振れが滑らかに行われる。
【００１９】
振子軸２にはばね４が外挿されており、下端は重り３の上面に、上端は枠体１に設けた中心穴１ｃの段部にそれぞれ当接している。重り３を回すことによって重り３の鍔３ａと後述の接点部材９とのすきまＧ２を調節可能である。このばね４によって振子部材は枠体１の中心軸上に位置する。棚１ｊの突起端面１ｂより上位置の段部１ｋに枠体１成形時に形成した樹脂ピン１ｈが板の穴に挿通され溶かすことによって導電円板６が固着されている。
【００２０】
そして鍔２ａの上面に形成した円錐部２ｂに導電性ばね５が外装され導電円板６の下面に当接されている。横揺れ及び縦揺れに対する感度はばね４を圧縮する程度と重り３の側面と接点部材９との隙間Ｇ１及びＧ２の隙間の量によって定められる。さらにばね４は振子軸２と重り３を鍔２ａの裏面のばね座で支えており、重り３とばね４の力を強くしておくことにより、鍔２ａと突起端面１ｂとの接触が維持され、振子部材を倒立させても重り３が外部振動に応答可能である。
【００２１】
枠体１の下端には成形時に突設したピン１ｆが板の穴を貫通させピン１ｆを溶かすことによって導電円板８が固定されている。そしてこの導電円板８は懐中電灯のケースの裏蓋に設けられているばね７と当接される。振子軸２の重り３が垂下する枠体１の下部の穴１ｄには、この導電円板８と接続され、重り３が横揺れや縦揺れを受けたときに接触し振子軸２から通電可能な接点部材９が設けられている。
【００２２】
枠体１の上端には同様にピン１ｇを溶かすことよって中央部に円形凸面部１２ａを形成した導電性円板１２が固定されている。導電性円板１２の下側となる枠体１の端部に形成された穴１ｅには、スイッチング素子の三極無接点サイリスタ素子１０が内蔵されている。三極無接点サイリスタ素子１０には、Ｔ１・Ｔ２・Ｇの三電極がある。Ｔ１の第１電極１１は、導電性円板１２に接続されている。Ｔ２の第２電極１３は、枠体１の反対側の接点部材９に枠体１の内部を貫通して接続されている。Ｇのグリッド極１４は、導電円板６に接続され導電性ばね５を介して振子軸２に通電可能である。
【００２３】
実施例第１に示す振動検知器が図１に示す配列でケース内に組み込まれた懐中電灯は、ランプ１６を上にして備え付けても、又逆にして備えつけても振動検知器の機能は同等である。本願の乾電池形振動検知器は直列に配置された複数個の電池の内の一個分に置き換え得るものであり、既設の非常用懐中電灯にも入れ替えて使用可能である。
【００２４】
例えば乾電池２個を直列に配した懐中電灯にあっては、乾電池１個を本願振動検知器に取り替えた場合、乾電池２個の時より明るさは減少するが非常用の用途には充分使用可能である。又ランプの電圧仕様を乾電池１個分の電圧仕様に適合したものを選択して取り替えることにより乾電池２個分の明るさを保つことも可能である。三極無接点サイリスタ素子（例えば商品名トライアック・米国ＧＥ社製）が高速スイッチング機能を有し本願仕様に適しているが、この他同様のスイッチング機能を有するサイリスタ素子も使用可能である。
【００２５】
次に本願発明の乾電池形振動検知器を組み込んだ非常用懐中電灯について説明する。
【００２６】
緊急時脱出用の非常用懐中電灯は通常室内又は廊下の柱に目の高さに備えられているのが一般的で、柱に取り付け用の用具を固定し、柱に沿って配備されている。人手で把持して使用するため便宜上円筒状の外形をもっているものが多く、照明用ランプは上側若しくは下側を向いて用具に格納されている。非常用懐中電灯と称していても実際の機能は通常使用する懐中電灯と何ら変わるところはない。ただ予めその備えつけてある場合が告知されており注意を喚起するに止まっている。
【００２７】
地震が発生しても従来の非常用懐中電灯はそれ自身が人に存在場所を知らせることはない。本願発明に係る振動検知器を組み込んだ懐中電灯は振動を検知した時、点灯して人にその存在場所を知らせランプを下向きにして設置しておけば懐中電灯の足元の照明を可能とするものである。
懐中電灯のケースに直列に収納された２個以上の乾電池の内の１個分として本願発明に係る振動検知器１個をいずれかの位置に組み込めば、非常用懐中電灯又は保安灯として使用できる。
【００２８】
図２は本願発明に係る懐中電灯の回路図である。回路図において括弧内は図１で示す付番と同一である。
外部から振動が加わり重り３と接点部材９がまず接触する。この接点スイッチはＳ２で示されている。Ｔは三極無接点サイリスタ素子１０，Ｂは乾電池１５，Ｌはランプ１６，Ｓ１は手動スイッチ１８を示している。
【００２９】
懐中電灯はスイッチＳ１をＯＮにして鉛直に備えつけられている。ランプＬは三極無接点サイリスタ素子１０が不作動であるので点灯してない状態である。振動が加えられ接点スイッチＳ２がＯＮされるとゲートＧに＋電位が印加され、電界効果により電極Ｔ１とＴ２間がＯＮ状態となり点灯に必要な電流が流れてランプＬが点灯する。この点灯状態は接点スイッチＳ２が振動で離れて瞬間ＯＦＦとなってもスイッチＳ１をＯＦＦに手動操作するまで継続する。
ランプＬが点灯した懐中電灯を備えつけ場所から取り外し手に持って横にしても振り回しても消灯することはない。
【００３０】
図３は本願発明の振動検知器の動作説明図である。
手動スイッチＳ１，振子部材による接点スイッチＳ２の開閉に伴うゲート回路１４及びランプ回路１７の動作を示している。図３において、（１）は懐中電灯の手動スイッチＳ１を閉にした備えつけた状態を示している。（２）は地震等の振動で接点スイッチＳ２が動作してゲート回路１４が閉じられた状態となり、同時にランプ回路１７に通電されることを示している。ランプ回路１７の通電は、接点スイッチＳ２が（３）で示すように開いても継続し、手動スイッチＳ１を開くまで点灯した状態となる。
【００３１】
本願発明の実施例第１の振動検知器を内蔵する非常用懐中電灯は、ランプを下にして通路・廊下・階段などに備えつければ足元の照明が可能であり、誘導灯，保安灯としても効果のある応用が可能である。又、ランプ部分を覆うケースの円筒部を赤色透明カバーで形成しておけば昼間に一定以上の振動が発生した場合の屋外避難すべきことを知らせる警告灯としても使用できる。
【００３２】
〔実施例第２〕
検知器の第２の実施例を示す断面図の図４にもとづき説明する。
実施例第１と同等部品は同符号を付して説明を省略する。絶縁性樹脂でなる乾電池と同一・同寸の円筒形の枠体１の下側となる端面には、穴１ｄをふさぐ導電円板８が、枠体１から突出成形された４本のピン１ｆがピン穴８ａを貫通しそのピン先端を溶かすことによって固着されている。また上側となる端面には中心穴を有する導電性円筒１２が同様に樹脂の４本のピン１ｇを溶かすことによって固着されている。
【００３３】
この円筒１２は内端部にばね案内となるボス１２ｂを突出し、外端部に凹部１２ｄが形成されている。枠体１内のほぼ中央部で中心に向かってせりだした棚１ｊの小径の中心穴周縁部に形成されたリング状の突起端面１ｂに振子軸２の鍔２ａが受けられている。振子部材は振子軸２の上部の鍔２ａに頂面２ｃを球状とした円錐状突出部２ｂが形成されており、振子軸２の下端部の雄ねじに重り３が螺合されておりナット２０で固定されている。そして棚１ｊの案内穴１ｃの段部と重り３との間には、ばね４が介装されていて振子を枠体１の中心に保持している。
【００３４】
さらに棚１ｊの突起端面１ｂより、上部位に導電円板６が形成時に突出された４本のピン１ｈを溶かすとこによって固定されている。そして導電円板６の中心穴の周縁上面に接点となるリング状凸部６ａが形成されている。導電性円筒１２の中心穴１２ｃには下端に形成された鍔２１ａの下面に頂面を平坦面２１ｄとした円錐に形成されている導電材でなる接点部材２１が移動可能に挿通されている。そして凹部１２ｄ内に突出した上端２１ｃは引っ掛け溝が形成さている。
【００３５】
接点部材２１の鍔２１ａと円筒１２の内下面との間にはボス１２ｂに案内された導電性ばね２２が介装されており、振子の正常状態（図４）で振子の円錐２ｂの頂部に接点部材２１の円錐頂点平坦面２１ｄが受けられている。このため鍔２１ａとリング状凸部６ａとは開離されている。枠体１の下端面の導電円板８と棚１ｊに固定した導電円板６とは棚１ｊ部分を貫通したリード線２３によって接続されている。
【００３６】
この検出器を図１に示す懐中電灯の実施例第１の検出器と入れ替えたときの動作を説明する。
この懐中電灯は非常灯として使用されるのもで、柱等にランプ１６を上にして鉛直に保持され手動スイッチ１８は閉とされているものとする。地震等で横揺れ，縦揺れの振動が発生して、振子部材は振子軸２の上部の鍔２ａが突起端部１ｂを支点として重り３が振れる。この振れに伴って振子部材の円錐の球状の頂面２ｃが、接点部材２１の円錐２１ｂの平らな下端面２１ｄから外れる〔図５〕。
【００３７】
接点部材２１は下側の支えが外れたことによりばね２２の力によって下降し、鍔２１ａとリング状凸部６ａとが接触する。導電性円筒１２，導電ばね２２，接点部材２１，導電円板６，リード線２３，導電円板８との電気回路が成される。手動スイッチ１８が閉状態にあるので、検出器，電池１５，ランプ１６の電気回路が形成されて、ランプ１６が点灯する。この点灯は振動が止んだ後も続行する。
【００３８】
検出器が振動によって作動後、復帰させるのは、懐中電灯の裏蓋を開けて検出器を取り出す。そして接点部材２１の上端２１ｃの引っ掛け溝を指で引き上げる。これにより下端部の円錐２１ｂで、引っ掛けていた振子部材の上端円錐２ｂの拘束が取り外され、傾斜姿勢にあった振子は正常な鉛直状態に復帰する。振子部材の円錐２ｂの頂面２ｃが再び接点部材２１の円錐下端面２１ｄを受ける状態となる。接点部材は鍔２１ａとリング状凸部６ａとの接触が離れた状態となり電気回路は開路する。したがってランプ１６は消灯される。
【００３９】
〔実施例第３〕
この実施例は図６に示すごとく実施例第１の回路図（図２）に対しタイマ，ブザー，及び各種センサを適宜接続して少なくとも種類の作動を可能とするものである。
図２の回路図においては振動により接点スイッチＳ２がＯＮされるとランプＬが点灯し、接点スイッチＳ２がＯＦＦとなっても点灯し続けて、手動スイッチＳ１をＯＦＦとしない限り点灯を継続する。
【００４０】
例えば地震の低い大揺れで点灯も大揺れで一回で終わりなにごともなかった場合には電池１５が消耗するまで点灯し続けることになる。
そこで図２の回路図について、直列に設けられた電池１５・三極無接点サイリスタ素子１０・接点スイッチＳ２の直列回路に対し並列に時間を設定したタイマ３１を接続させ、このタイマ３１の常時閉接点３１ａを手動スイッチＳ１に直列に接続させる。
【００４１】
この接続により振動にて接点スイッチＳ２がＯＮしたとき、電流は電池１５から三極無接点サイリスタ素子１０・ランプ回路１７に流れてランプＬが点灯する。同時に電流は電池１５からタイマ３１に流れる。
そしてタイマ３１に設定した一定時間経過後にタイマ３１の常時閉補助接点３１ａが開となりで電流の流れが遮断される。即ちタイマ３１の設定時間後にランプＬは自動的に消灯することになる。
【００４２】
またタイマ３１と並列に或いは単独に電磁石にて作動するブザー３２を接続する。振動により回路１７が導通することにより、このブザー３２も接続され警報音を接続する。地震等にて懐中電灯が点灯した場合に、遮蔽物にてランプＬの光が見えなくても、ブザー３２の発する警報にて懐中電灯の所在を認識することが出来る。尚ブザーの音響もタイマ３１を併設した場合はその設定した一定時間後にはランプＬの消灯と同時に消音する。
更に接点スイッチＳ２と並列に非常事態報知信号を検出するセンサ３３を接続することも可能である。
【００４３】
非常事態報知信号を検出するセンサ３３としてテレビ・ラジオ等の災害時の緊急情報の非常電波の受信手段を有して電波受信により接点を閉じる電波検知センサを接続する。この場合には、テレビその他の機器から災害情報信号を検知すると自動的にセンサがＯＮとなり、ランプＬを点灯させると同時にブザー３２から音響を出して人々に警告するものである。
またセンサ３３として人の会話音や低周波音をカットするフィルタを有して比較的高音域の音を受信して接点を閉じる音波検知センサを接続する。この場合には、突然の異常音や消防車のサイレンの音波を検知すると自動的にセンサがＯＮとなり、ランプＬを点灯させると同時にブザー３２から音響を出して人々に警告するものである。
【００４４】
またセンサ３３として赤外線を検知して接点を閉じる赤外線検知センサを接続する。この場合には火災時の炎から放出される赤外線を受光すると自動的にセンサがＯＮとなり、ランプＬを点灯させると同時にブザー３２が音響を発して人々に警告するものである。
尚赤外線感知器としては例えば赤外線スポット型感知器が知られている。
尚上記電波検知センサ，音波検知センサ，赤外線検知センサ等を適宜接点スイッチＳ２に対し並列に並べて接続することもできる。
そのほかセンサ３３として煙感知センサや温度検知センサを用いることも可能である。
【００４５】
〔実施例第４〕
通常懐中電灯では電源として乾電池を２個直列に使用して３Ｖとするが、第１実施例においては電源として乾電池を一個となしたため電圧は１．５Ｖとなり明るさが減少する。そこで実施例第４においては小型乾電池を複数個用いることにより第１実施例の不具合を解消した乾電池となしたものである。
図７，図８の実施例では外形寸法を単１乾電池と同一とした電池ケース４１に単３乾電池を３個収容する構成を示すものである。
【００４６】
導電性の容器４２に単３乾電池４３を３本、図９に示すごとく直列に結線して４．５Ｖとして収容する。このとき直列単３乾電池４３の負側端を容器４２の底面に接続される。また容器４２に絶縁材である蓋４４を被せて嵌合させる。蓋４４は中心に導電性の正側電極となる突起４５を有していて、直列単３乾電池４３の正側電極端をこの突起４５に接続させる。
また単２乾電池と外径同一とした電池ケースに単４乾電池３本を収容した場合にも図７，図８と同一の構成として適用することが出来る。
【００４７】
図１０は外形寸法を単１乾電池と同一とした電源ケース４６に単４乾電池４７を偶数個本実施例で４個収容した構成を示すものであって、単４乾電池は例えば図１１に示すごとく２本ずつ直列に結線して電圧３Ｖとしたもの二組を並列に結線して容量を２倍とする。そして２本の正側電極端子を電源ケースの絶縁材で容器と絶縁された導電性突起に、また他の２本の負側電極端を電源ケースの底面に接続させる。
【００４８】
なお電池ケース４１，４６において小型乾電池の正側電極端子と正側電極の突起４５との間の接続金具は蓋４４の裏側に燐青銅製の弾性金属を取り付ける。従って蓋４４の装着時に確実に接続するか、位相を一致させるため回動させることなく軸方向嵌装させる必要がある。
また電池ケース４１，４６の底部は小型乾電池の負側電極端との接続位置に円錐ばねを介在させて導電を確実にし、底面の他の部分は絶縁材で覆い絶縁しておくものである。
【００４９】
【発明の効果】
本願発明の請求項１の非常用懐中電灯は、地震等の振動で電気回路を導通可能とするので信号を発生する必要がある場合に、給電状態にある電気回路中に信号発生手段と直列に組み込むことによって外部に警告を発することができる。
【００５０】
乾電池形振動検知器を非常用懐中電灯に組み込んで使用するものであって、上述のように検知器が従来の電池１個分の容積で形成されていて電池１個と置換し、既設非常灯若しくは保安灯としても使用でき、ランプカバーの円筒部分を光透過性のある赤色ガラス又は樹脂性とすることにより明るい時間帯でも警告灯として使用できる。又電源装置のない場所に設置する警告灯，警報装置にも使用できる。
また乾電池は小型の乾電池を複数個内蔵しているので電圧を増大させてランプ輝度が上げることができ、また乾電池の電源容量を増大させて寿命を長くすることができる。
【００５１】
本願発明の請求項２の発明は、懐中電灯はタイマを内蔵しているため設定時間が経過すればランプが自動的に消灯する。
【００５２】
また本願発明の請求項３の懐中電灯はブザーを内蔵しているため、ランプの点灯した光が見えなくても音響によって懐中電灯の所在を知ることができる。
【図面の簡単な説明】
【図１】本願発明の乾電池形振動検知器を非常用懐中電灯に使用した実施例第１の断面説明図である。
【図２】図１の回路図である。
【図３】図２の動作説明図である。
【図４】実施例第２の乾電池形振動検知器の断面図である。
【図５】図４の振子が振れた状態を示す図である。
【図６】実施例第３の回路図である。
【図７】実施例第４の電池ケースの説明図である。
【図８】図７の電池ケースに小型乾電池を３本収容した状態を電池ケースの蓋を取り外し上面から見た説明図である。
【図９】３本の小型乾電池の直列結線を示す図である。
【図１０】電池ケースに４本の小型乾電池を収容した状態を電池ケースの蓋を取り外し上面から見た説明図である。
【図１１】４本の小型乾電池の結線の例を示す図である。
【符号の説明】
１  枠体
１ｂ  突起端面
２  振子軸
２ａ  鍔
３  重り
４  ばね
５  導電性ばね
６，８  導電円板
９  接点部材
１０  三極無接点サイリスタ素子
１１  第１電極（Ｔ１）
１２  導電性円板
１３  第２電極（Ｔ２）
１４  グリッド極（Ｇ）
１５  乾電池
１６  ランプ
１７  ランプ回路の一部
１８  手動スイッチ
３１  タイマ
３２  ブザー
３３  非常事態報知信号
４４、４６  電池ケース
４３、４７  小型乾電池
Ｓ１  手動スイッチ
Ｓ２  接点スイッチ
【図１】
0004282814.tif 000002
【図２】
0004282814.tif 000003
【図３】
0004282814.tif 000004
【図４】
0004282814.tif 000005
【図５】
0004282814.tif 000006
【図６】
0004282814.tif 000007
【図７】
0004282814.tif 000008
【図８】
0004282814.tif 000009
【図９】
0004282814.tif 000010
【図１０】
0004282814.tif 000011
【図１１】
0004282814.tif 000012